(57)【要約】  車載用充電器とフラッシュライトの組み合わせが、ユーザーがモバイル機器を車載用充電器に接続する間照明を与える。車載用充電器のモバイル機器のプラグ上に配置された光源が外部又は内部電源に接続され、モバイル機器の照明に使用される光線を供給する。一つの実施例では、外部電源は車両電池を包含してもよい。代わりの実施例では、内部電源は車載用充電器内に配置された電池を包含してもよい。例示的な実施例は、光源を電源に選択的に接続するためスイッチを含んでもよい。
2007501594.tif 000002
【特許請求の範囲】
【請求項１】
車載用充電器をモバイル機器に接続する間、照明を提供する方法であって、該方法は、
光源を、前記モバイル機器を車載用電源に接続するのに適合している車載用充電器の第１のプラグ上に取り付け、
前記光源を点灯するため、前記光源を電源に接続すること、を包含する前記方法。
【請求項２】
請求項１の方法であって、前記光源の電源への接続は、前記第１のプラグ上に配置されたスイッチを選択的に作動させ、前記光源と電源を電気的に接続すること、を包含する前記方法。
【請求項３】
請求項２の方法であって、前記第１のプラグ上に配置された前記スイッチを選択的に作動させ、前記光源を車載用電源に接続する前記方法。
【請求項４】
請求項１の方法であって、前記第１のプラグ上に配置されたスイッチを選択的に作動させ前記光源を車載用充電器内に配置された内部電源に接続する前記方法。
【請求項５】
請求項４の方法であって、前記スイッチを選択的に作動させることは、瞬間的接触スイッチ又はオン／オフスイッチを選択的に作動させることを包含する前記方法。
【請求項６】
請求項１の方法であって、車載用充電器をモバイル機器に接続する間照明を提供することは、発光ダイオード（LED）で照明を提供することを包含する前記方法。
【請求項７】
請求項８の方法であって、前記照明を発光ダイオードで提供することは、白色又は青色（LED）で提供することを包含する前記方法。
【請求項８】
モバイル機器のための車載用充電器であって、
モバイル機器と接続するために適合した第１のプラグと、
前記第１のプラグをモバイル機器に接続する間照明を提供するため前記第１のプラグ上に配置された光源と、を包含する前記車載用充電器。
【請求項９】
請求項８の車載用充電器であって、前記光源を電源に選択的に接続するため、前記第１のプラグ上に配置されたスイッチを更に包含する前記車載用充電器。
【請求項１０】
請求項９の車載用充電器であって、前記スイッチは、瞬間的接触スイッチ又はオン/オフスイッチを包含する前記車載用充電器。
【請求項１１】
請求項１０の車載用充電器であって、前記瞬間的接触スイッチは、瞬間的接触ロッカースイッチ、瞬間的接触押しボタン、又は瞬間的接触滑りスイッチを包含する前記車載用充電器。
【請求項１２】
請求項９の車載用充電器であって、前記スイッチは、前記光源を選択的に車載用電源に接続する前記車載用充電器。
【請求項１３】
請求項９の車載用充電器であって、前記スイッチは、前記光源を選択的に内部電源に接続する前記車載用充電器。
【請求項１４】
請求項８の車載用充電器であって、前記光源は、発光ダイオード（LED）を包含する前記車載用充電器。
【請求項１５】
請求項１４の車載用充電器であって前記LEDは、白色又は青色LEDを包含する前記車載用充電器。
【請求項１６】
モバイル機器のための且つ電源をもつ車両と共に使用されるのに適合した車載用充電器であって、前記車載用充電器は、
ケーブルと、
ケーブルの第１の端上に配置された第１のプラグであって、前記第１のプラグはモバイル機器との接続に適合したものと、
第１の端と反対の、第２の端上に配置された第２のプラグであって、前記第２のプラグは車両電源との接続に適合したものと、を包含し、
前記第１のプラグは外部ハウジングを包含し、該外部ハウジングは、前記第１のプラグをモバイル機器に接続する間モバイル機器を照明するための光源を含む。
【請求項１７】
請求項１６の車載用充電器であって、更に、前記光源を電源に選択的に接続するため、前記第１のプラグの外部ハウジング上に配置されたスイッチを包含する前記車載用充電器。
【請求項１８】
請求項１７の車載用充電器であって、前記スイッチは、前記第２のプラグを経由して、前記光源を車載用電源に選択的に接続する前記車載用充電器。
【請求項１９】
請求項１７の車載用充電器であって、前記スイッチは、前記光源を、前記第１のプラグ内に配置された内部電源に選択的に接続する前記車載用充電器。
【請求項２０】
請求項１７の車載用充電器であって、前記スイッチは、瞬間的接触スイッチ又はオン／オフスイッチを包含する前記車載用充電器。
【請求項２１】
請求項１６の車載用充電器であって、前記光源は、発光ダイオード（LED）を包含する前記車載用充電器。
【発明の詳細な説明】
【技術分野】
【０００１】
（発明の背景）
本発明は、一般にモバイル機器の車載用充電器に関し、より詳しくは、モバイル機器の多機能な車載用充電器に関する。
【背景技術】
【０００２】
車両のシガレットライタのポートは、車両内で容易に使用できる電源を提供する。その結果、車両で走行しながらモバイル機器の電池を充電するのに便利である。しかし夜間に車両を運転し又は車両に乗っている時に車載用充電器をモバイル機器に効果的に接続するために十分に認識ことはしばしば困難である。
【発明の開示】
【発明が解決しようとする課題】
【０００３】
車両の内部光は車載用充電器をモバイル機器に接続するため十分の照明を提供するかも知れないが、このような光源はしばしばドライバの気を散らす。ペンライトまたは他の携帯出来るフラッシュライトのようなより小さな光源は、利用できないかも知れずまた、あるいは車載用充電器をモバイル機器に接続しようとする時に使用するには面倒であるかも知れない。本発明は、車載用充電器をモバイル機器に接続する時の照明を与えるために便利な光源を提供することにより、上に詳細に述べた問題点に対応する。
【課題を解決するための手段】
【０００４】
（発明の要約）
本発明は、モバイル機器を車載用充電器に接続する時に照明を提供するための方法及び装置を包含する。車載用充電器はモバイル機器に接続するために適合可能なプラグを含む。電源に電気的に接続される時、プラグ上に配置された光源は、ユーザが車載用充電器をモバイル機器に接続する間照明を提供する。電源は、車両（蓄）電池のような外部電池を包含してもよい。代りに、電源は車載用充電器内に内部電池を包含してもよい。更に、例示的実施例は、光源を電源に選択的に接続するスイッチを含む。
【実施例】
【０００５】
（発明の詳細な説明）
図１は、本発明による例示的な車載用充電器１００を示す。車載用充電器１００は、モバイル機器プラグ１１０及び電力プラグ１２０を包含する。コードはモバイル機器プラグ１１０を電力プラグ１２０に電気的に接続する。当業者は、車載用充電器が広範な種類のモバイル機器プラグ１１０及び電力プラグ１２０を包含することを理解するであろう。したがって本発明は図１に示す特定のモバイル機器プラグ１１０及び電力プラグ１２０に限定されない。
【０００６】
例示的なモバイル機器プラグ１１０が更に詳細に図２Ａ−２Ｄに示される。図２Ａに示すように、モバイル機器プラグ１１０は、モバイル機器アダプタ１１２、光源１１４、及び任意に、スイッチ１１６を包含する外部ハウジングを含む。光源１１４が電源３１０（図３Ａ）に電気的に接続される時、以下に更に述べるように、光源１１４は、モバイル機器プラグ１１０の近くの領域を照明するため光線を供給する。この光線は、あまり明るくない環境の下でモバイル機器を車載用充電器に接続するのを容易にするため、モバイル機器上の対応するコネクタの照明に使用してもよい。加えて、この光線は、他の作業を遂行するために使用してもよい。
【０００７】
光源１１４は、白色光源、発光ダイオード（LED）、等のような当該技術において知られた如何なる光源を包含してもよい。本発明による車載用充電器１００において実施される例示的な光源１１４は、白色又は青色LED１１４を包含する。LED１１４は、５０−１００mWの間で電力消費し、４２５−８５０mcdの間の光度を提供してもよい。典型的にLED１１４は約７０mWを電力消費して約６００mcdの光度を供給する。
【０００８】
例示的な実施例において、光源１１４は、スイッチ１１６を経由して電源３１０に接続する。スイッチ１１６は、モーメンタリーな接触スイッチ１１６（図２Ａ−２Ｃ）、従来のオン／オフスイッチ１１６（図２Ｄ）、又は当該技術で知られた如何なる他のスイッチ１１６を包含してもよい。例示的なモーメンタリー接触スイッチ１１６は、押しボタンスィッチ１１６（図２Ａ）、ロッカースイッチ(rocker switch)１１６（図２Ｂ）、及びスライド１１６（図２Ｃ）である。当業者は、示されず又はここで述べない他のスイッチも本発明に適用出来ることを理解するであろう。
【０００９】
図３Ａ及び３Ｂは本発明の簡単な回路３００を示す。当業者は、図３Ａ−３Ｂの回路３００は、フラッシュ回路の基本的素子を示すだけで、本発明に余分な他の素子は、単純化のために示されないことを理解するであろう。回路３００は、電源３１０、光源１１４、抵抗器３２０、スイッチ１１６、及び接地３３０を含む。電源３１０は、少なくとも光源１１４に対する電力を供給し、また車載用電源のような外部電源を包含してもよい。図１に示すように、電力プラグ１２０を車両のダッシュボード２２０の中のシガレットライターポート２１０に挿入し車載用充電器１００に対して外部電源３１０を供給する。この実施例において電源３１０は光源１１４を駆動するため及びモバイル機器を充電するための電力を供給する。代りに、車載用充電器１００が、充電電源とは別個に、光源１１４のために、内部電源３１０を含んでもよい。例えば、外部電源３１０は、モバイル機器プラグ１１０内に配置された電池を包含してもよい。
【００１０】
光スイッチ１１６の始めの状態は、開放である。スイッチ１１６が開放（図３Ａ）すると、回路３００は開放回路を包含し、光源１１４は如何なる光をも放射しない。しかし、閉じる（図３Ｂ）と、スイッチ１１６は回路を為し、電流が電源３１０から接地３３０へ流れる。抵抗器３２０は、周知のように、光源１１４のために適切な抵抗を与えるため回路３００を負荷する。この結果、ユーザがスイッチ１１６を作動させると、光源１１４は、モバイル機器を車載用充電器へ接続するのを容易にするための照明をする。
【００１１】
前の説明及び図面は、本発明を詳細に記載する。しかし前述は幾つかの実施例を記載するだけである。従って、本発明は、ここに述べた以外の特定の方法で、発明の不可欠の特徴から逸脱することなく実行出来る。現在の実施例は、従って、あらゆる面において例示的であり限定的でないと考えるべきであり、また付随する請求の範囲の意味及び均等の範囲内に入る総ての変更はそこ含まれることを意図している。
【図面の簡単な説明】
【００１２】
【図１】本発明による例示的な車載用充電器を示す。
【図２Ａ】図１の車載用充電器用の例示的なモバイル機器プラグを示す。
【図２Ｂ】図１の車載用充電器用の例示的なモバイル機器プラグを示す。
【図２Ｃ】図１の車載用充電器用の例示的なモバイル機器プラグを示す。
【図２Ｄ】図１の車載用充電器用の例示的なモバイル機器プラグを示す。
【図３Ａ】本発明の車載用充電器用の例示的な回路を示す。
【図３Ｂ】本発明の車載用充電器用の例示的な回路を示す。
【図１】
2007501594.tif 000003
【図２Ａ】
2007501594.tif 000004
【図２Ｂ】
2007501594.tif 000005
【図２Ｃ】
2007501594.tif 000006
【図２Ｄ】
2007501594.tif 000007
【図３Ａ】
2007501594.tif 000008
【図３Ｂ】
2007501594.tif 000009
【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
車載用充電器（１００）をモバイル機器に接続する間、照明を提供する方法であって、該方法は、
光源（１１４）を車載用充電器（１００）の第１のプラグ（１１０）上に取り付け、前記車載用充電器（１００）は前記モバイル機器を車載用電源に接続するのに適合しており、
前記光源（１１４）を点灯するため、前記光源（１１４）を光電源（３１０）に接続すること、を包含する前記方法。
【請求項２】
請求項１の方法であって、前記光源（１１４）の光電源（３１０）への接続は、前記第１のプラグ上に配置されたスイッチ（１１６）を選択的に作動させ、前記光源（１１４）と光電源（３１０）を電気的に接続すること、を包含する前記方法。
【請求項３】
請求項２の方法であって、前記光電源（３１０）は車載用電源を包含し、前記第１のプラグ（１１０）上に配置された前記スイッチ（１１６）を選択的に作動させ、前記光源（１１４）を車載用電源に接続する前記方法。
【請求項４】
請求項１の方法であって、前記光電源（３１０）は車載用充電器（１００）内に配置された内部電源を包含し、前記第１のプラグ（１１０）上に配置された前記スイッチ（１１６）を選択的に作動させ前記光源（１１４）を前記内部電源に接続する前記方法。
【請求項５】
請求項４の方法であって、前記スイッチ（１１６）を選択的に作動させることは、モーメンタリー接触スイッチ又はオン／オフスイッチを選択的に作動させることを包含する前記方法。
【請求項６】
請求項１の方法であって、車載用充電器（１００）をモバイル機器に接続する間照明を提供することは、発光ダイオードで照明を提供することを包含する前記方法。
【請求項７】
請求項８の方法であって、前記照明を発光ダイオードで提供することは、白色又は青色発光ダイオードで提供することを包含する前記方法。
【請求項８】
モバイル機器のための車載用充電器（１００）であって、
前記車載用充電器（１００）をモバイル機器に接続するために適合した第１のプラグ（１１０）と、
前記第１のプラグ（１１０）をモバイル機器に接続する間照明を提供するため前記第１のプラグ（１１０）上に配置された光源（１１４）と、を包含する前記車載用充電器。
【請求項９】
請求項８の車載用充電器（１１０）であって、前記光源（１１４）を光電源（３１０）に選択的に接続するため、前記第１のプラグ（１１０）上に配置されたスイッチ（１１６）を更に包含する前記車載用充電器。
【請求項１０】
請求項９の車載用充電器（１００）であって、前記スイッチ（１１６）は、モーメンタリー接触スイッチ又はオン／オフスイッチを包含する前記車載用充電器。
【請求項１１】
請求項１０の車載用充電器（１００）であって、前記モーメンタリー接触スイッチは、モーメンタリー接触ロッカースイッチ、モーメンタリー接触押しボタン、又はモーメンタリー接触スライドスイッチを包含する前記車載用充電器。
【請求項１２】
請求項９の車載用充電器（１００）であって、前記光電源（３１０）は車載用電源を包含する前記車載用充電器。
【請求項１３】
請求項９の車載用充電器（１００）であって、前記光電源（３１０）は前記車載用充電器（１００）内に配置された内部電源を包含する前記車載用充電器。
【請求項１４】
請求項８の車載用充電器（１００）であって、前記光源（１１４）は、発光ダイオードを包含する前記車載用充電器。
【請求項１５】
請求項１４の車載用充電器（１００）であって前記発光ダイオードは、白色又は青色発光ダイオードを包含する前記車載用充電器。
【請求項１６】
車載用電源を使用するモバイル機器を充電するための車載用充電器（１００）であって、前記車載用充電器は、
ケーブルと、
ケーブルの第１の端上に配置された第１のプラグ（１１０）であって、前記第１のプラグ（１１０）はモバイル機器との接続に適合したものと、
第１の端と反対の、第２の端上に配置された第２のプラグ（１２０）であって、前記第２のプラグ（１２０）は車載用電源との接続に適合したものと、を包含し、
前記第１のプラグ（１１０）は外部ハウジングを包含し、該外部ハウジングは、前記第１のプラグ（１１０）をモバイル機器に接続する間モバイル機器を照明するための光源（１１４）を含む。
【請求項１７】
請求項１６の車載用充電器（１００）であって、更に、前記光源（１１４）を光電源（３１０）に選択的に接続するため、前記第１のプラグ（１１０）の外部ハウジング上に配置されたスイッチ（１１６）を包含する前記車載用充電器。
【請求項１８】
請求項１７の車載用充電器（１００）であって、前記光電源（３１０）は、車載用電源を包含する前記車載用充電器。
【請求項１９】
請求項１７の車載用充電器（１００）であって、前記光電源（３１０）は前記第１のプラグ（１１０）内に配置された内部電源を包含する前記車載用充電器。
【請求項２０】
請求項１７の車載用充電器（１００）であって、前記スイッチ（１１６）は、モーメンタリー接触スイッチ又はオン／オフスイッチを包含する前記車載用充電器。
【請求項２１】
請求項１６の車載用充電器（１００）であって、前記光源（１１４）は、発光ダイオードを包含する前記車載用充電器。
【国際調査報告】
2007501594.tif 000010
2007501594.tif 000011
2007501594.tif 000012